(57)【要約】【課題】ＨＤＭＩで接続された機器において、複数のＨＤＭＩ入力部を備えるＨＤＭＩ入力機器からは、Ｐｈｙｓｉｃａｌ Ａｄｄｒｅｓｓ（ＰＡ）を正常にＨＤＭＩ出力機器が取得できないことがあった。【解決手段】ＨＤＭＩ入力機器からＨＤＭＩ出力機器へＰＡ情報の伝送が可能になったことを示す信号が送信されると、ＨＤＭＩ出力機器はＰＡ情報の取得を行う。ＨＤＭＩ入力機器は、ＰＡ情報の伝送が可能になったことを示す信号をＨＤＭＩ入力部より送信する第１のステップと、当該ＨＤＭＩ入力部に接続された機器に対して、さらに、ＰＡ情報割り当て処理を要求する制御コマンドを送信する第２のステップと、前記第１のステップと、第２のステップを、当該機器が有する１つ以上のすべてのＨＤＭＩ入力部において実行するステップとを含む。【選択図】図５
2009284374.tif 000002
【特許請求の範囲】
【請求項１】
ネットワークを通じて接続された映像音声データ入出力機器間における、前記映像音声データ入出力機器のうち映像音声データを入力する側となる入力機器と、前記映像音声データ入出力機器のうち映像音声データを出力する側となる出力機器との間での、前記映像音声データ機器間におけるトポロジに対応した機器アドレス割り当て方法であって、
前記入力機器は、
前記出力機器に対して機器アドレス情報の一方向伝送が可能になると、当該機器アドレス情報の伝送が可能になったことを示す信号を前記出力機器に対して通知する機器アドレス情報送信可能通知手段と、
前記出力機器が前記機器アドレス情報を取得した後に、機器アドレス要求指示コマンドを当該入力機器から前記出力機器に対して送信する機器アドレス要求指示コマンド送信手段と、
前記機器アドレス要求指示コマンドを受信した場合には、当該入力機器に接続されているすべての出力機器に対して、前記機器アドレス情報送信可能通知手段による通知と前記機器アドレス要求指示コマンド送信手段による機器アドレス要求制御コマンドの送信とを行う、機器アドレス情報送信及び機器アドレス要求指示コマンド再送信手段と
を含むことを特徴とする機器アドレス割り当て方法。
【請求項２】
前記入力機器は、さらに、前記出力機器から、前記機器アドレス情報送信可能通知手段による通知と前記機器アドレス要求指示コマンド送信手段による機器アドレス要求制御コマンドの送信とを要求する制御コマンドを受信した際には、前記出力機器に対して前記機器アドレス情報送信可能通知手段による通知と前記機器アドレス要求指示コマンド送信手段による機器アドレス要求制御コマンドの送信とを行う、機器アドレス情報及び機器アドレス要求指示コマンド送信手段を備えることを特徴とする請求項１記載の機器アドレス割り当て方法。
【請求項３】
前記出力機器は、
映像音声データの出力開始を示すコマンドを前記入力機器に対して送信する映像音声データ出力開始通知手段と、
前記機器アドレス情報の伝送が可能であることを示す信号を前記入力機器から受信できなかった場合には、前記機器アドレス情報送信可能通知手段による通知と前記機器アドレス要求指示コマンド送信手段による機器アドレス要求制御コマンドの送信とを要求する制御コマンドを前記入力機器に対して送信する機器アドレス情報要求及び機器アドレス要求指示コマンド要求手段と
を含む請求項１に記載の機器アドレス割り当て方法。
【請求項４】
ネットワークを通じて接続された映像音声データ入出力機器間における、前記映像音声データ入出力機器のうち映像音声データを入力する側となる入力機器と、前記映像音声データ入出力機器のうち映像音声データを出力する側となる出力機器との間での、前記映像音声データ機器間におけるトポロジに対応した機器アドレスを割り当てる入力機器であって、
前記出力機器に対して機器アドレス情報の一方向伝送が可能になると、当該機器アドレス情報の伝送が可能になったことを示す信号を前記出力機器に対して通知する機器アドレス情報送信可能通知手段と、
前記出力機器が前記機器アドレス情報を取得した後に、機器アドレス要求指示コマンドを当該入力機器から前記出力機器に対して送信する機器アドレス要求指示コマンド送信手段と、
前記機器アドレス要求指示コマンドを受信した場合には、当該入力機器に接続されているすべての出力機器に対して、前記機器アドレス情報送信可能通知手段による通知と前記機器アドレス要求指示コマンド送信手段による機器アドレス要求制御コマンドの送信とを行う、機器アドレス情報送信及び機器アドレス要求指示コマンド再送信手段と
を含むことを特徴とする入力機器。
【請求項５】
前記入力機器は、さらに、前記出力機器から、前記機器アドレス情報送信可能通知手段による通知と前記機器アドレス要求指示コマンド送信手段による機器アドレス要求制御コマンドの送信とを要求する制御コマンドを受信した際には、前記出力機器に対して前記機器アドレス情報送信可能通知手段による通知と前記機器アドレス要求指示コマンド送信手段による機器アドレス要求制御コマンドの送信とを行う、機器アドレス情報及び機器アドレス要求指示コマンド送信手段を備えることを特徴とする
請求項４記載の入力機器。
【請求項６】
ネットワークを通じて接続された映像音声データ入出力機器間における、前記映像音声データ機器間におけるトポロジに対応した機器アドレスを割り当てる、前記映像音声データ入出力機器のうち映像音声データの入力のみを行う入力専用機器であって、
機器アドレス情報の一方向伝送が可能になると、当該入力専用機器に対して映像音声データを出力する出力機器に対して、当該機器アドレス情報の伝送が可能になったことを示す信号を通知する機器アドレス情報送信可能通知手段と、
映像音声データの出力を前記出力機器に対して行う映像音声データ入出力機器が取りうる機器アドレスを順に更新して、当該機器アドレスを持つ映像音声データ入出力機器に対して機器アドレス要求制御コマンドを送信する機器アドレス要求指示手段とを
備えることを特徴とする入力専用機器。
【請求項７】
ネットワークを通じて接続された映像音声データ入出力機器間における、前記映像音声データ入出力機器のうち映像音声データを入力する側となる入力機器と、前記映像音声データ入出力機器のうち映像音声データを出力する側となる出力機器との間での、前記映像音声データ機器間におけるトポロジに対応した機器アドレスを割り当てる入力機器であって、指定された機器アドレスを持つ出力機器に対して機器アドレス要求制御コマンドを送信するように指示する機器アドレス要求指示コマンドを受信した際に、前記出力機器が当該入力装置に対しては入力機器となる場合には、前記出力機器に対して機器アドレス情報の一方向伝送が可能になると、前記機器アドレス情報の伝送が可能になったことを示す信号を前記出力機器に対して通知する機器アドレス情報送信可能通知手段とを備えることを特徴とする入力機器。
【発明の詳細な説明】
【技術分野】
【０００１】
本発明は、機器の接続トポロジに対応して、機器のアドレスを決定するネットワークにおいて、機器のアドレスを再設定する方法に関する。
【背景技術】
【０００２】
従来、テレビジョン受信機（以下「テレビ」という）にＤＶＤ（Ｄｉｇｉｔａｌ  Ｖｅｒｓａｔｉｌｅ  Ｄｉｓｃ）プレーヤのような再生機器、外部ＡＶアンプと外部スピーカ等を接続して、映像及び音声を視聴することがなされている。このような場合に、機器の入力切替などを行う１つの手段として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格におけるＣＥＣ（Ｃｏｎｓｕｍｅｒ  Ｅｌｅｃｔｒｏｎｉｃｓ  Ｃｏｎｔｒｏｌ）を用いた、機器間の制御機能が定義されている（非特許文献１）。
【０００３】
これは、テレビ及び種々のＡＶ機器をＨＤＭＩケーブルで接続し、ＨＤＭＩケーブルに含まれているＣＥＣバスを介して、双方向に制御コマンドを送受信可能なＣＥＣコマンドを利用して、ＡＶ機器を制御する機能である。
【０００４】
ＨＤＭＩ規格では、また、ＤＶＤレコーダなどの再生機器が、接続先の機器の再生能力情報を読み取って映像・音声データの出力形式を合わせたり、映像・音声データを暗号化して伝送することにより違法コピーを防止したりする特徴を持っている。
【０００５】
再生能力情報は、テレビやＡＶアンプなどのＨＤＭＩ入力部を備えた機器（「ＨＤＭＩ入力機器」とする）から接続相手機器（「ＨＤＭＩ出力機器」とする）に、一方向接続であるＤＤＣ（Ｄｉｓｐｌａｙ  Ｄａｔａ  Ｃｈａｎｎｅｌ）バスを通じて伝達される。「ＤＤＣ」とは、ディスプレイのプラグ＆プレイを実現するために、ＨＤＭＩ出力機器にディスプレイの機種情報などを伝える機能として定めたＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）の規格である。ＤＤＣによって伝達される情報としてＨＤＭＩ入力機器の機種情報や再生可能な画像・音声フォーマット、ＨＤＭＩ機器に付与する物理アドレス（Ｐｈｙｓｉｃａｌ  Ａｄｄｒｅｓｓ）などがある。これらＤＤＣによって伝達する情報は、ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）としてＨＤＭＩ入力機器のメモリに格納される。ＥＤＩＤは、ＨＤＭＩ入力機器によるＨＰＤ（Ｈｏｔ  Ｐｌｕｇ  Ｄｅｔｅｃｔ  Ｓｉｇｎａｌ）のＬｏｗからＨｉｇｈへの切り替え（あるいはパルス）に応答して、ＤＤＣバス経由で、接続されたＨＤＭＩ出力機器から読み出される。ＨＰＤがＨｉｇｈであれば、ＨＤＭＩ出力機器は、ＨＤＭＩ入力機器のＥＤＩＤを読み出すことができる。
【０００６】
ＨＤＭＩでは、ＣＥＣコマンドによる通信のために、各機器に対して、論理アドレス（Ｌｏｇｉｃａｌ  Ａｄｄｒｅｓｓ、以下ＬＡ）と物理アドレスを定義している。
【０００７】
ＰＡはＨＤＭＩ出力機器の接続トポロジを反映して決定されるアドレスであり、ＨＤＭＩ入力機器からＨＤＭＩ出力機器に対して一方向に伝送される。
【０００８】
ＨＤＭＩ入力部を備えルートとなる機器（以下、ルート機器）のＰＡを、０．０．０．０とする。そして、ある機器のＰＡを決定するには、当該機器のＨＤＭＩ出力部に接続されているＨＤＭＩ入力機器から取得したＰＡを、当該機器のＰＡとして用いる。そして、当該機器のＨＤＭＩ入力部に接続されている他のＨＤＭＩ入力機器に対しては、ＨＤＭＩ入力部ごとに異なる値を加えたものを、接続されている他の機器のＰＡとして伝送する。例えば、ＨＤＭＩ入力部とＨＤＭＩ出力部の両方を備える機器であるＡＶアンプについてのＰＡの決定方法を説明する。ＡＶアンプのＨＤＭＩ出力部に接続された機器から当該ＡＶアンプ自身のＰＡを取得し、当該ＰＡにＡＶアンプのＨＤＭＩ入力部ごとに異なる値を加えたものを、当該ＡＶアンプのＨＤＭＩ入力部にさらに接続されたＨＤＭＩ出力機器のＰＡとして決定する。
【０００９】
ここで、複数のＨＤＭＩ機器が接続されている場合について、さらに説明する。
【００１０】
ルート機器としてのテレビに対して、テレビの第一のＨＤＭＩ入力部にはＡＶアンプが、さらに、ＡＶアンプの第一の入力部には、第一のレコーダが接続されている。また、テレビの第２のＨＤＭＩ入力部には第２のレコーダが接続されている。
【００１１】
このような場合において、ＨＤＭＩ出力部を持たず、ＨＤＭＩ入力部のみ備えるテレビは、ルート機器として常にＰＡ０．０．０．０を持つ。テレビに接続された機器のうち、テレビの第一のＨＤＭＩ入力部に接続されたＡＶアンプは１．０．０．０、テレビの第２のＨＤＭＩ入力部に接続された第２のレコーダは２．０．０．０のように与えられる。さらに、ＡＶアンプ自身が取得したＰＡが１．０．０．０であるので、それぞれ第一の入力部は１．１．０．０、第２の入力部は１．２．０．０となる。このため、第一のレコーダのＰＡは１．１．０．０となる。
【００１２】
ＬＡは、ＨＤＭＩ接続されたＣＥＣ対応機器に与えられ、ＣＥＣコマンドの送受信を行うための宛先アドレスとして用いる。
【００１３】
ＣＥＣでは、コマンドの相手先を指定して送信するコマンドと、ＨＤＭＩで接続されたすべてのＣＥＣ対応機器にコマンドを通知するブロードキャストコマンドとが定義されており、これらを組み合わせて通信を行う。ＣＥＣコマンドは、送信元機器のＬＡと、宛先機器のＬＡと、オペコードと、オペランドから構成される。
【００１４】
非特許文献１では、ＣＥＣコマンドを利用したアプリケーションとして、Ｏｎｅ  Ｔｏｕｃｈ  ＰｌａｙやＲｏｕｔｉｎｇ  Ｃｏｎｔｒｏｌ、Ｄｅｖｉｃｅ  Ｍｅｎｕ  Ｃｏｎｔｒｏｌ、Ｒｅｍｏｔｅ  Ｃｏｎｔｒｏｌ  Ｐａｓｓ  Ｔｈｒｏｕｇｈなどが定義されている。
【００１５】
以下、図１６〜図２０を用いて非特許文献１に示されている従来のＡＶ機器の制御について説明する。
【００１６】
図１６は、従来のＡＶ機器のＨＤＭＩ接続構成を示す図であって、ＤＶＤレコーダ１１、ＡＶアンプ２１、テレビ３１の接続図である。
【００１７】
図１７は、従来のＤＶＤレコーダ１１の構成を示す図である。
【００１８】
図１８は、従来のＡＶアンプ２１の構成を示す図である。
【００１９】
図１９は、従来のテレビ３１の構成を示す図である。
【００２０】
ＤＶＤレコーダ１１と、ＡＶアンプ２１と、テレビ３１とがそれぞれＨＤＭＩで接続されている。
【００２１】
ＤＶＤレコーダ１１は、１つのＨＤＭＩ出力部１０１を備え、ＡＶアンプ２１は、２つのＨＤＭＩ入力部２０１、２０２と、１つのＨＤＭＩ出力部２１６とを備え、テレビ３１は、２つのＨＤＭＩ入力部３０１、３０２を備える。
【００２２】
ＤＶＤレコーダ１１から出力される映像・音声データは、ＨＤＭＩ出力部１０１→ＨＤＭＩ入力部２０１→ＨＤＭＩ出力部２１６→ＨＤＭＩ入力部３０１と一方向に伝送される。ＣＥＣコマンドは、ＨＤＭＩのＣＥＣバス上で、双方向に伝送される。図１６に示す構成において各機器のＰＡは、前記ＤＤＣによる通信によってテレビ３１→ＡＶアンプ２１→ＤＶＤレコーダ１１の順に割り当てられ、テレビ３１のＰＡは０．０．０．０、ＡＶアンプ２１のＰＡは１．０．０．０、ＤＶＤレコーダ１１のＰＡは１．１．０．０となる。
【００２３】
図２０は、従来のＤＶＤレコーダ１１、ＡＶアンプ２１、テレビ３１の流れを示す図であり、Ｏｎｅ  Ｔｏｕｃｈ  Ｐｌａｙ機能の動作の従来の流れを示す。
【００２４】
まず、ユーザがＤＶＤレコーダ１１のリモコン等の入力手段により、ＤＶＤレコーダ１１に再生開始を指示する（ステップＳ２４１）。
【００２５】
ＤＶＤレコーダ１１は再生開始すると、テレビ３１に対してＣＥＣコマンド＜Ｔｅｘｔ  Ｖｉｅｗ  Ｏｎ＞コマンドを送信する（ステップＳ２４２）。
【００２６】
次にＤＶＤレコーダ１１のＣＥＣ機器連携部１５４は、ＣＥＣコマンド＜Ａｃｔｉｖｅ  Ｓｏｕｒｃｅ＞にＤＶＤレコーダ１１のＰＡ１．１．０．０をパラメータとして付与してブロードキャスト送信する（ステップＳ２４３）。
【００２７】
ステップＳ２４３で送信された＜Ａｃｔｉｖｅ  Ｓｏｕｒｃｅ＞コマンドを受信したテレビ３１のＣＥＣ機器連携部３５８は、＜Ａｃｔｉｖｅ  Ｓｏｕｒｃｅ＞コマンドを送信した機器（以下、「アクティブソース機器」とする）から映像・音声を受信するように入力切替を行う。即ち、ＰＡ１．１．０．０の第一の値と対応するＨＤＭＩ入力部３０１からのＴＭＤＳ信号を受信するために、ＴＭＤＳ切替部３０９に入力元の切替指示を行う。また、ＣＥＣ機器連携部３５８は、ＨＰＤ制御部３０３にＨＰＤ信号３０１１をＨｉｇｈに引き上げるように指示する（ステップＳ２４４）。
【００２８】
ＡＶアンプ２１において、ＨＰＤ切替検出部２１４がＨＰＤ信号３０１１のＬｏｗからＨｉｇｈへの遷移を検出すると、ＥＤＩＤ情報取得部２１５へＨＰＤ切替が通知され、ＥＤＩＤ情報取得部２１５は、テレビ３１からＥＤＩＤの読み出しを開始する（ステップＳ２４５）。
【００２９】
テレビ３１のＥＤＩＤ３０６は、ＥＤＩＤデータをＡＶアンプ２１に送信する（ステップＳ２４６）。ＥＤＩＤデータを受信したＡＶアンプ２１のＥＤＩＤ情報取得部２１５は、ＥＤＩＤデータのＰＡ部に対応するＨＤＭＩ入力部の番号を加えて、ＥＤＩＤ２０６に入力する。また、ＥＤＩＤデータに含まれるＡＶアンプ２１のＰＡをＣＥＣ機器連携部２５８に入力する。
【００３０】
ステップＳ２４３で送信された＜Ａｃｔｉｖｅ  Ｓｏｕｒｃｅ＞コマンドを受信したＡＶアンプ２１のＣＥＣ機器連携部２５８は、受信した該コマンドに付与されたＰＡ１．１．０．０と、ＡＶアンプ２１のＰＡ１．０．０．０とを比較する。アクティブソース機器と、テレビ３１の間にＡＶアンプ２１が接続されていると判断される場合、ＡＶアンプ２１は、アクティブソース機器からの映像・音声を受信し、ＨＤＭＩ出力部へ送信するように入力切替を行う。即ち、ＰＡ１．１．０．０の第２の値に対応するＨＤＭＩ入力部２０１からのＴＭＤＳ信号を受信するために、ＴＭＤＳ切替部２０９に入力元の切替指示を行う。また、ＣＥＣ機器連携部２５８は、ＨＰＤ制御部２０３にＨＰＤ信号２０１１をＨｉｇｈに引き上げるように指示する（ステップＳ２４７）。
【００３１】
ＤＶＤレコーダ１１におけるＨＰＤ切替検出部１０２がＨＰＤ信号１０１１のＬｏｗからＨｉｇｈへの遷移を検出すると、ＥＤＩＤ情報取得部１０３へＨＰＤ切替が通知され、ＥＤＩＤ情報取得部１０３は、ＥＤＩＤの読み出し開始を要求する（ステップＳ２４８）。
【００３２】
ＡＶアンプ２１のＥＤＩＤ２０６は、ＥＤＩＤデータを送信する（ステップＳ２４９）。
【００３３】
ＥＤＩＤ情報取得部１０３は、受信したＥＤＩＤデータに含まれる映像音声再生能力情報をデコード部１０５に入力する。また、ＥＤＩＤデータに含まれるＤＶＤレコーダ１１のＰＡをＣＥＣ機器連携部１５４に入力する。
【００３４】
デコード部１０５は、入力された映像音声再生能力に基づいて、映像データと音声データを再生し、ＴＭＤＳ出力部１０６に入力する。
【００３５】
ＴＭＤＳ出力部１０６は、デコード部１０５から入力した、映像データ及び音声データをＴＭＤＳ信号としてＴＭＤＳ１０１３を通して、ＡＶアンプ２１に送信する（ステップＳ２４１０）。
【００３６】
ＴＭＤＳ信号の入力元としてＴＭＤＳ信号２０１３が選択されているため、ＴＭＤＳ切替部２０９は、ＴＭＤＳ信号２０１３を通じてＤＶＤレコーダ１１から送信されたＴＭＤＳ信号を受信し、ＴＭＤＳ入力部２１０へと出力する。
【００３７】
ＴＭＤＳ入力部２１０は、受信したＴＭＤＳ信号をＴＭＤＳ出力部２１１と、ＴＭＤＳデコード部２１２へと出力する。
【００３８】
ＴＭＤＳ出力部２１１は、ＴＭＤＳ信号２１６３を通じて、テレビ３１へＴＭＤＳ信号を送信する（ステップＳ２４１１）。
【００３９】
ＴＭＤＳの入力元としてＴＭＤＳ信号３０１３が選択されているため、ＴＭＤＳ切替部３０９は、ＴＭＤＳ信号３０１３を通じてＡＶアンプ２１から送信されたＴＭＤＳ信号を受信し、ＴＭＤＳ入力部３１０へと出力する。
【００４０】
ＴＭＤＳ入力部３１０は、受信したＴＭＤＳ信号をＴＭＤＳデコード部３１１に出力する。
【００４１】
ＴＭＤＳデコード部３１１は、ＴＭＤＳ信号を映像ストリーム及び音声ストリームにデコードし、それぞれ、映像出力部、音声出力部に出力する。
【００４２】
以上の制御によって、非特許文献１における、テレビ３１、ＡＶアンプ２１、ＤＶＤレコーダ１１が接続された構成において、ＤＶＤレコーダ１１に対してユーザが再生を指示した場合に、ＤＶＤレコーダが出力する映像・音声データがテレビ３１から出力される。
【００４３】
以下、特許文献１におけるＨＤＭＩ出力機器がデータ取得する方法について説明する。
【００４４】
特許文献１では、ＨＤＭＩ出力機器がＥＤＩＤ記述されていないデータを出力したときに、ＨＤＭＩ受信機器からＨＤＭＩ出力機器に対してＥＤＩＤの再取得を指示する技術が開示されている。
【００４５】
特許文献１によると、ＨＤＭＩ受信機器は、ＨＤＭＩ出力機器からビデオデータ、及び、オーディオデータを受信したときに、ＥＤＩＤ記述のデータを受信したかどうかを判定するＥＤＩＤ判定手段を有する。前記ＨＤＭＩ受信機器は、ＨＤＭＩ出力機器からＥＤＩＤを要求されると、ＥＤＩＤデータを送信する。ＨＤＭＩ出力機器は該ＥＤＩＤデータに従って、ビデオデータの解像度、オーディオデータのオーディオストリーム等を決定して、ビデオデータ、及び、オーディオデータを送信する。前記ＨＤＭＩ受信機器が該ビデオデータ、及び、該オーディオデータを受信すると、ＥＤＩＤ判定手段により、受信したビデオデータ及びオーディオデータがＥＤＩＤデータに従っているか否かを判定する。該ビデオデータ及び該オーディオデータがＥＤＩＤデータに従っていないと判定した場合、該ＨＤＭＩ受信機器はホットプラグをオフ、あるいは、レシーバーセンスをオフにし、所定の時間の後、前記ホットプラグ、あるいは、レシーバーセンスを再度オンにして、ＨＤＭＩ出力機器にＥＤＩＤの再取得を実行させる。
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ
【特許文献１】特開２００７−７８９８０号公報
【発明の開示】
【発明が解決しようとする課題】
【００４６】
しかしながら、上記従来の構成では、ＰＡを正常に決定できない場合がある。
【００４７】
ＨＤＭＩで接続された機器のＰＡは、接続トポロジを反映しており、ＨＤＭＩ入力機器のＰＡに、当該機器に接続されている端子番号を加えて、当該機器に接続されたＨＤＭＩ出力機器のＰＡを決定する。例えば、図１６のようにテレビ３１、ＡＶアンプ２１、ＤＶＤレコーダ１１を接続した場合は、テレビ３１のＰＡをもとにＡＶアンプ２１のＰＡを決定し、ＡＶアンプ２１のＰＡをもとにＤＶＤレコーダ１１のＰＡが決定される。このように、ＰＡが０．０．０．０であるルートとなる機器（テレビ３１のようにＨＤＭＩ入力のみを持つ機器）から順にアドレスが決定される。
【００４８】
ここで、図１６の構成で、ＤＶＤレコーダ１１のＡＣ電源がオフ等の要因で、ＤＶＤレコーダ１１のＰＡが初期化された際に、ＤＶＤレコーダ１１のＰＡが正常に取得できないことがある。
【００４９】
ＤＶＤレコーダ１１がＡＶアンプ２１のＨＤＭＩ入力部２０１を通じて接続されており、ＨＤＭＩ入力部２０１が選択されている場合に、ＤＶＤレコーダ１１のＡＣ電源オフが発生したとする。ＤＶＤレコーダ１１の電源が再度オンした場合、ＤＶＤレコーダ１１はＥＤＩＤ及びＰＡを取得するように通信を開始するべく動作するが、ＡＶアンプ２１のＨＰＤはＬｏｗに下がっているため、ＤＶＤレコーダ１１はＥＤＩＤ及びＰＡを取得できない。従って、ＤＶＤレコーダ１１は電源オンした直後のＰＡの初期値を保持し続けたままとなる。そして、ＤＶＤレコーダ１１は、再生を開始するときに＜Ａｃｔｉｖｅ  Ｓｏｕｒｃｅ＞コマンドに自身のＰＡをパラメータとしてブロードキャストする。しかし、ＰＡは初期化されているため、ＰＡは接続構成と無関係な初期値であって、テレビ３１及び、ＡＶアンプ２１は入力切替を行うことができない。ＤＶＤレコーダ１１からの映像を正常に視聴するためには、ＤＶＤレコーダ１１がＥＤＩＤ及びＰＡを正常に取得できるように、テレビ３１及び、ＡＶアンプ２１のそれぞれで一旦別の入力に入力切替を行ってから、改めてテレビ３１ではＡＶアンプ２１を、ＡＶアンプ２１ではＤＶＤレコーダ１１を接続した端子を選択する必要がある。
【００５０】
また、図１６の構成から接続を変更した場合にも、ＤＶＤレコーダ１１のＰＡが正常に取得できない場合がある。例えば、ＤＶＤレコーダ１１をテレビ３１のＨＤＭＩ入力部に直接接続するようにＨＤＭＩ接続の構成を変えた場合である。
【００５１】
今、テレビ３１は複数のＨＤＭＩ入力部を備えており、テレビ３１の入力元はユーザの指示等に応じて切り替えられるようになっている。テレビ３１は、複数のＨＤＭＩ入力部３０１、ＨＤＭＩ入力部３０２に対して共通のＥＤＩＤ３０６を備えており、ＥＤＩＤ３０６のＰＡをユーザから選択されたＨＤＭＩ入力部に対応したＰＡに書き換えてから、選択されたＨＤＭＩ入力部に接続された機器からＥＤＩＤを取得するようにする。この際に、複数の機器が同一のＰＡを保持する不整合を禁止するために、テレビ３１において一方のＨＤＭＩ入力部に切り替えている間は、他方のＨＤＭＩ入力部に対してはＨＰＤネゲートとして、ＥＤＩＤ３０６の読み書きを禁止する。このため、テレビ３１の他方のＨＤＭＩ入力部に接続されたＤＶＤレコーダ１１は、ＨＰＤネゲートであるため正常にＥＤＩＤ及びＰＡをテレビ３１から取得できない。
【００５２】
このため、ＨＤＭＩ接続された機器のＰＡをすべて更新するためには、改めてＰＡが０．０．０．０の機器から順に行う必要がある。
【００５３】
一方、ＨＤＭＩ規格では、著作権保護が必要なコンテンツ出力を行う場合、接続相手機器が正当な機器であることを確認し、伝送するコンテンツを暗号化するための認証プロトコルであるＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  Ｓｙｓｔｅｍ）が採用されており、ＨＰＤのＬｏｗからＨｉｇｈへの切り替え（あるいはパルス）に応答して、認証を開始することが規定されている。なお、ＨＤＣＰの認証については、本発明の主眼ではないので、詳細な説明は省略する。
【００５４】
ただし、ＨＤＣＰに対応したＨＤＭＩ入力機器は、一般的に複数のＨＤＭＩ出力機器からのＨＤＣＰ要求に対しては同時に対応することができない場合がある。このとき、ユーザが視聴していないＨＤＭＩ入力部に対しては、ＨＰＤ信号がローレベルになっているため、ＨＤＣＰ要求が禁止されている。ＨＰＤ信号がローレベルのときは、ＥＤＩＤメモリにあるＰＡの読み出しも同時に禁止されるため、ユーザが視聴していないＨＤＭＩ入力部に接続されたＨＤＭＩ出力機器はＰＡを正常に取得することができない。
【００５５】
以上のように、機器の電源の状態が変更となったり、接続構成が変更した場合に、テレビのようにルート機器から順に入力切替をする必要がある。しかしながら、テレビ、ＡＶアンプを含む多数のＨＤＭＩ入力機器、ＨＤＭＩ出力機器が接続されている場合には、各機器がトポロジに従ったＰＡを取得するためには、各機器を順番にユーザが手動で操作することとなり、非常に煩雑である。
【００５６】
また、特許文献１では、ビデオデータ、及び、音声データからＨＤＭＩ出力機器が正常にＥＤＩＤを取得しているかを判定するが、ビデオデータ、及び、音声データには、ＨＤＭＩ出力機器が取得したＰＡの情報は含まれていない。従って、特許文献１におけるＥＤＩＤ記述判定手段では、ＨＤＭＩ出力機器のＰＡの正しい値となっているかを判定することはできない。
【課題を解決するための手段】
【００５７】
上記課題を解決するために、本発明の機器アドレス割り当て方法は、ネットワークを通じて接続された映像音声データ入出力機器間における、前記映像音声データ入出力機器のうち映像音声データを入力する側となる入力機器と、前記映像音声データ入出力機器のうち映像音声データを出力する側となる出力機器との間での、前記映像音声データ機器間におけるトポロジに対応した機器アドレスの割り当て方法であって、前記入力機器は、前記出力機器に対して機器アドレス情報の一方向伝送が可能になると、当該機器アドレス情報の伝送が可能になったことを示す信号を前記出力機器に対して通知する機器アドレス情報送信可能通知手段と、前記出力機器が前記機器アドレス情報を取得した後に、機器アドレス要求指示コマンドを当該入力機器から前記出力機器に対して送信する機器アドレス要求指示コマンド送信手段と、前記機器アドレス要求指示コマンドを受信した場合には、当該入力機器に接続されているすべての出力機器に対して、前記機器アドレス情報送信可能通知手段による通知と前記機器アドレス要求指示コマンド送信手段による機器アドレス要求制御コマンドの送信とを行う、機器アドレス情報送信及び機器アドレス要求指示コマンド再送信手段とを含む。
【００５８】
このような構成により、入力機器と出力機器との間で、入力機器から出力機器に対して機器アドレス情報を通知し、その後に機器アドレス要求指示コマンドを送信する。また、機器アドレス要求指示コマンドを受信した場合には、入力機器は接続されているすべての出力機器に対して、機器アドレス情報の通知と、機器アドレス要求指示コマンドを送信することができるので、入力機器に対して接続されている出力機器すべてに遡り、機器アドレス情報の通知をすることができる。
【発明の効果】
【００５９】
以上のように本発明の機器アドレス割り当て方法は、入力機器に対して接続されている出力機器すべてに遡り機器アドレス情報の通知をすることができるため、ユーザは入力機器や入出力機器に対して機器アドレスの割り当てをする旨の指示を一度行うことで、入出力機器が構成するネットワーク上の機器すべての機器アドレスが設定される。このため、従来機器ごとに行っていた入力切替の操作をすべての機器に対して行う必要がなくなる。
【発明を実施するための最良の形態】
【００６０】
本発明の機器アドレス割り当て方法は、ネットワークを通じて接続された映像音声データ入出力機器間における、前記映像音声データ入出力機器のうち映像音声データを入力する側となる入力機器と、前記映像音声データ入出力機器のうち映像音声データを出力する側となる出力機器との間での、前記映像音声データ機器間におけるトポロジに対応した機器アドレスの割り当て方法であって、前記入力機器は、前記出力機器に対して機器アドレス情報の一方向伝送が可能になると、当該機器アドレス情報の伝送が可能になったことを示す信号を前記出力機器に対して通知する機器アドレス情報送信可能通知手段と、前記出力機器が前記機器アドレス情報を取得した後に、機器アドレス要求指示コマンドを当該入力機器から前記出力機器に対して送信する機器アドレス要求指示コマンド送信手段と、前記機器アドレス要求指示コマンドを受信した場合には、当該入力機器に接続されているすべての出力機器に対して、前記機器アドレス情報送信可能通知手段による通知と前記機器アドレス要求指示コマンド送信手段による機器アドレス要求制御コマンドの送信とを行う、機器アドレス情報送信及び機器アドレス要求指示コマンド再送信手段とを含む。
【００６１】
このような構成により、入力機器と出力機器との間で、入力機器から出力機器に対して機器アドレス情報を通知し、その後に機器アドレス要求指示コマンドを送信する。また、機器アドレス要求指示コマンドを受信した場合には、入力機器は接続されているすべての出力機器に対して、機器アドレス情報の通知と、機器アドレス要求指示コマンドを送信することができるので、入力機器に対して接続されている出力機器すべてに遡り、機器アドレス情報の通知をすることができる。
【００６２】
また、前記入力機器は、さらに、前記出力機器から、前記機器アドレス情報送信可能通知手段による通知と前記機器アドレス要求指示コマンド送信手段による機器アドレス要求制御コマンドの送信とを要求する制御コマンドを受信した際には、前記出力機器に対して前記機器アドレス情報送信可能通知手段による通知と前記機器アドレス要求指示コマンド送信手段による機器アドレス要求制御コマンドの送信とを行う、機器アドレス情報及び機器アドレス要求指示コマンド送信手段を含んでも構わない。
【００６３】
このような構成により、入力機器は、出力機器からの要求に応じて、機器アドレス要求コマンドを改めて出力機器に通知することができる。
【００６４】
また、前記出力機器は、映像音声データの出力開始を示すコマンドを前記入力機器に対して送信する映像音声データ出力開始通知手段と、前記機器アドレス情報の伝送が可能であることを示す信号を前記入力機器から受信できなかった場合には、前記機器アドレス情報送信可能通知手段による通知と前記機器アドレス要求指示コマンド送信手段による機器アドレス要求制御コマンドの送信とを要求する制御コマンドを前記入力機器に対して送信する機器アドレス情報要求及び機器アドレス要求指示コマンド要求手段とを含むように構成しても構わない。
【００６５】
このような構成により、出力機器と入力機器との間で機器アドレス情報の伝送ができなかった場合には、改めて出力機器から入力機器に対して、機器アドレス情報の伝送を行うように要求することができる。
【００６６】
また、本発明の入力機器は、ネットワークを通じて接続された映像音声データ入出力機器間における、前記映像音声データ入出力機器のうち映像音声データを入力する側となる入力機器と、前記映像音声データ入出力機器のうち映像音声データを出力する側となる出力機器との間での、前記映像音声データ機器間におけるトポロジに対応した機器アドレスを割り当てる入力機器であって、前記出力機器に対して機器アドレス情報の一方向伝送が可能になると、当該機器アドレス情報の伝送が可能になったことを示す信号を前記出力機器に対して通知する機器アドレス情報送信可能通知手段と、前記出力機器が前記機器アドレス情報を取得した後に、機器アドレス要求指示コマンドを当該入力機器から前記出力機器に対して送信する機器アドレス要求指示コマンド送信手段と、前記機器アドレス要求指示コマンドを受信した場合には、当該入力機器に接続されているすべての出力機器に対して、前記機器アドレス情報送信可能通知手段による通知と前記機器アドレス要求指示コマンド送信手段による機器アドレス要求制御コマンドの送信とを行う、機器アドレス情報送信及び機器アドレス要求指示コマンド再送信手段とを含むように構成しても構わない。
【００６７】
このような構成により、入力機器と出力機器との間で、入力機器から出力機器に対して機器アドレス情報を通知し、その後に機器アドレス要求指示コマンドを送信する。また、機器アドレス要求指示コマンドを受信した場合には、入力機器は接続されているすべての出力機器に対して、機器アドレス情報の通知と、機器アドレス要求指示コマンドを送信することができるので、入力機器に対して接続されている出力機器すべてに遡り、機器アドレス情報の通知をする入力機器を構成することができる。
【００６８】
また、前記入力機器は、さらに、前記出力機器から、前記機器アドレス情報送信可能通知手段による通知と前記機器アドレス要求指示コマンド送信手段による機器アドレス要求制御コマンドの送信とを要求する制御コマンドを受信した際には、前記出力機器に対して前記機器アドレス情報送信可能通知手段による通知と前記機器アドレス要求指示コマンド送信手段による機器アドレス要求制御コマンドの送信とを行う、機器アドレス情報及び機器アドレス要求指示コマンド送信手段を備えるように構成しても構わない。
【００６９】
このような構成により、入力機器は、出力機器からの要求に応じて、機器アドレス要求コマンドを改めて出力機器に通知することができる。
【００７０】
また、本発明の入力専用機器は、ネットワークを通じて接続された映像音声データ入出力機器間における、前記映像音声データ機器間におけるトポロジに対応した機器アドレスを割り当てる、前記映像音声データ入出力機器のうち映像音声データの入力のみを行う入力専用機器であって、機器アドレス情報の一方向伝送が可能になると、当該入力専用機器に対して映像音声データを出力する出力機器に対して、当該機器アドレス情報の伝送が可能になったことを示す信号を通知する機器アドレス情報送信可能通知手段と、映像音声データの出力を前記出力機器に対して行う映像音声データ入出力機器が取りうる機器アドレスを順に更新して、当該機器アドレスを持つ映像音声データ入出力機器に対して機器アドレス要求制御コマンドを送信する機器アドレス要求指示手段とを備えるように構成しても構わない。
【００７１】
このような構成により、入力機器と出力機器との間で、入力機器から出力機器に対して機器アドレス情報を通知し、その後に機器アドレス要求指示コマンドを送信する。また、機器アドレス要求指示コマンドを受信した場合には、入力機器は接続されているすべての出力機器に対して、機器アドレス情報の通知と、機器アドレス要求指示コマンドを送信することができるので、入力専用機器に対して接続されている出力機器すべてに遡り、機器アドレス情報の通知をする入力専用機器を構成することができる。
【００７２】
また、本発明の入力機器は、ネットワークを通じて接続された映像音声データ入出力機器間における、前記映像音声データ入出力機器のうち映像音声データを入力する側となる入力機器と、前記映像音声データ入出力機器のうち映像音声データを出力する側となる出力機器との間での、前記映像音声データ機器間におけるトポロジに対応した機器アドレスを割り当てる入力機器であって、指定された機器アドレスを持つ出力機器に対して機器アドレス要求制御コマンドを送信するように指示する機器アドレス要求指示コマンドを受信した際に、前記出力機器が当該入力装置に対しては入力機器となる場合には、前記出力機器に対して機器アドレス情報の一方向伝送が可能になると、前記機器アドレス情報の伝送が可能になったことを示す信号を前記出力機器に対して通知する機器アドレス情報送信可能通知手段とを備えるように構成しても構わない。
【００７３】
このような構成により、入力機器と出力機器との間で、入力機器から出力機器に対して機器アドレス情報を通知し、その後に機器アドレス要求指示コマンドを送信する。また、機器アドレス要求指示コマンドを受信した場合に、指定された出力機器が接続されている入力機器のみが、接続されている出力機器に対して、機器アドレス情報の通知と、機器アドレス要求指示コマンドを送信することができるので、特定の機器のみ機器アドレス情報の通知をする入力機器を構成することができる。
【００７４】
以下、図面を参照しつつ、本発明の最良の実施の形態について説明する。
【００７５】
（実施の形態１）
以下図１〜図４を用いて、本発明の実施の形態１におけるＡＶ機器の構成を説明する。
【００７６】
図１は、本発明の実施の形態１におけるＨＤＭＩ接続構成を示す接続図である。本発明の実施の形態１では、ＤＶＤレコーダ１０と、ＡＶアンプ２０と、テレビ３０と、ビデオカメラ５０とが、それぞれＨＤＭＩで接続されているものとする。
【００７７】
ＤＶＤレコーダ１０は、１つのＨＤＭＩ出力部１０１を備え、ＡＶアンプ２０は、２つのＨＤＭＩ入力部２０１、２０２と、１つのＨＤＭＩ出力部２１６とを備え、テレビ３０は、２つのＨＤＭＩ入力部３０１、３０２を備える。
【００７８】
ＤＶＤレコーダ１０から出力される映像・音声データは、ＨＤＭＩ出力部１０１→ＨＤＭＩ入力部２０１→ＨＤＭＩ出力部２１６→ＨＤＭＩ入力部３０２と一方向に伝送される。ＣＥＣコマンドは、ＨＤＭＩのＣＥＣバス上で、双方向に伝送される。
【００７９】
図１に示す構成において各機器のＰＡは、前記ＤＤＣによる通信によってテレビ３０→ＡＶアンプ２０→ＤＶＤレコーダ１０の順に割り当てられ、テレビ３０のＰＡは０．０．０．０、ＡＶアンプ２０のＰＡは２．０．０．０、ＤＶＤレコーダ１０のＰＡは２．１．０．０となる。
【００８０】
図２は、本発明の実施の形態１におけるＤＶＤレコーダ１０の構成を示す図である。ＤＶＤレコーダ１０は、映像・音声データ出力機器の一例である。
【００８１】
ＤＶＤレコーダ１０は、ＨＤＭＩ出力部１０１と、ＨＰＤ切替検出部１０２と、ＥＤＩＤ情報取得部１０３と、ＣＥＣ機器連携部１０４と、デコード部１０５と、ＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ：遷移時間最短差動信号伝送方式）出力部１０６とを備える。
【００８２】
ＤＶＤレコーダ１０のＨＤＭＩ出力部１０１は、ＡＶアンプ２０とＨＤＭＩ接続され、映像音声データの送信や制御コマンドの双方向通信を行う。ＨＤＭＩ出力部１０１は、ＨＰＤ信号１０１１、ＤＤＣ信号１０１２、ＴＭＤＳ信号１０１３及びＣＥＣ信号１０１４の伝送に使用される。ここで、ＨＤＭＩ出力部１０１は、ＨＤＭＩに限定されず、例えば、有線・無線を問わず、同等の機能を提供する、適応した通信方式に応じたインターフェースを設けてもよい。
【００８３】
ＨＰＤ切替検出部１０２は、ＨＤＭＩ出力部１０１から入力されるＨＰＤ信号１０１１の、ＨｉｇｈからＬｏｗ、ＬｏｗからＨｉｇｈへの切り替えを検出し、ＥＤＩＤ情報取得部１０３に通知する。
【００８４】
ＥＤＩＤ情報取得部１０３は、ＨＰＤ信号１０１１のＬｏｗからＨｉｇｈへの切替検出通知を受けると、ＤＤＣ信号１０１２を使用し、ＡＶアンプ２０のＥＤＩＤを読み出す。ＥＤＩＤには、ＡＶアンプ２０が設定した、映像及び音声のサポート可能なフォーマットを表す映像音声再生能力情報及び、ＤＶＤレコーダ１０のＰＡが記載されている。ＥＤＩＤ情報取得部１０３は、取得した映像・音声の出力可能なフォーマットをデコード部１０５に、ＰＡをＣＥＣ機器連携部１０４にそれぞれ入力する。
【００８５】
ＣＥＣ機器連携部１０４は、ＣＥＣコマンド受信部（図示せず）と、ＣＥＣコマンド送信部（図示せず）と、ＣＥＣコマンド宛先判定部（図示せず）と、ＰＡ記憶部（図示せず）とから構成される。また、ＣＥＣ信号１０１４を用い、制御コマンドとしてＣＥＣコマンドの送受信を行う。
【００８６】
デコード部１０５は、ＥＤＩＤ情報取得部１０３から入力された映像音声再生能力情報に基づき、映像ストリーム及び音声ストリームをデコードする。ここでは、映像ストリーム及び音声ストリームの入力元は図示しないが、例えばＤＶＤ読み取り装置からＤＶＤに記録された映像ストリーム及び音声ストリームが入力される。デコード部１０５は、デコードされた映像データと音声データとを、ＴＭＤＳ出力部１０６に出力する。
【００８７】
ＴＭＤＳ出力部１０６は、映像データと音声データとからなるＴＭＤＳ伝送用データを、ＨＤＭＩ出力部１０１のＴＭＤＳ信号１０１３を通じて、ＡＶアンプ２０に出力する。
【００８８】
本実施の形態１におけるビデオカメラ５０は、ＤＶＤレコーダ１０におけるデコード部１０５へ入力する映像ストリーム及び音声ストリームの入力元（図示せず）がＤＶＤレコーダ１０と異なるのみである。
【００８９】
図３は、本発明の実施の形態１におけるＡＶアンプ２０の構成を示す図である。ＡＶアンプ２０は、映像・音声データ入出力機器の一例である。
【００９０】
ＡＶアンプ２０は、ＨＤＭＩ出力部２１６と、ＨＰＤ切替検出部２１４と、ＥＤＩＤ情報取得部２１５と、ＣＥＣ機器連携部２０８と、ＴＭＤＳ出力部２１１と、ＨＤＭＩ入力部２０１と、ＨＤＭＩ入力部２０２と、ＥＤＩＤ設定部２０５と、ＥＤＩＤ２０６と、ＨＰＤ制御部２０３と、ＨＰＤ制御部２０４と、ＴＭＤＳ切替部２０９と、ＴＭＤＳ入力部２１０と、ＴＭＤＳデコード部２１２と、音声出力部２１３とを備える。
【００９１】
ＡＶアンプ２０のＨＤＭＩ出力部２１６は、テレビ３０とＨＤＭＩ接続され、映像音声データの送信や制御コマンドの双方向通信を行う。ＨＤＭＩ出力部２１６は、ＨＰＤ信号２１６１、ＤＤＣ信号２１６２、ＴＭＤＳ信号２１６３及びＣＥＣ信号２１６４の信号の伝送に使用される。ここで、ＨＤＭＩ出力部２１６は、ＨＤＭＩに限定されず、例えば、有線や無線であるかも問わず、同等の機能を提供する、適応した通信方式に応じたインターフェースを設けてもよい。
【００９２】
ＨＰＤ切替検出部２１４、ＥＤＩＤ情報取得部２１５、ＣＥＣ機器連携部２０８、ＴＭＤＳ出力部２１１は、ＤＶＤレコーダ１０におけるＨＰＤ切替検出部１０２、ＥＤＩＤ情報取得部１０３、ＣＥＣ機器連携部１０４、ＴＭＤＳ出力部１０６と同様の動作を行う。
【００９３】
ＨＰＤ切替検出部２１４は、ＨＤＭＩ出力部２１６から入力されるＨＰＤ信号２１６１の切り替えを検出し、ＥＤＩＤ情報取得部２１５に通知する。
【００９４】
ＥＤＩＤ情報取得部２１５は、ＨＰＤ信号２１６１のＬｏｗからＨｉｇｈへの切替検出通知を受けると、ＤＤＣ信号２１６２を使用して、テレビ３０からテレビ３０が設定したＥＤＩＤを読み出す。ＥＤＩＤには、テレビ３０が出力可能な映像及び音声のフォーマットと、ＡＶアンプ２０に与えられるＰＡが記載されている。ＥＤＩＤ情報取得部２１５は、テレビ３０が出力可能な映像及び音声のフォーマットをＥＤＩＤ設定部２０５に入力する。また、取得したＰＡはＣＥＣ機器連携部２０８に入力する。
【００９５】
ＣＥＣ機器連携部２０８は、ＣＥＣ信号２１６４、ＣＥＣ信号２０１４及びＣＥＣ信号２０２４を用い、制御コマンドとしてＣＥＣコマンドの送受信を行う。
【００９６】
ＴＭＤＳ出力部２１１は、ＴＭＤＳ入力部２１０から入力したＴＭＤＳ伝送用データを、ＨＤＭＩ出力部２１６のＴＭＤＳ信号２１６３を通じて、テレビ３０に出力する。
【００９７】
ＨＤＭＩ入力部２０１は、ＤＶＤレコーダ１０とＨＤＭＩ接続され、映像音声データの受信や制御コマンドの双方向通信を行う。これらの伝送には、ＨＰＤ信号２０１１、ＤＤＣ信号２０１２、ＴＭＤＳ信号２０１３及びＣＥＣ信号２０１４が使用される。
【００９８】
ＨＤＭＩ入力部２０２も、ＨＤＭＩ入力部２０１と同様の構成である。
【００９９】
ここで、ＨＤＭＩ入力部２０１及びＨＤＭＩ入力部２０２は、ＨＤＭＩに限定されず、例えば、有線や無線であるかも問わず、同等の機能を提供する、適応した通信方式に応じたインターフェースを設けてもよい。
【０１００】
ＥＤＩＤ設定部２０５は、ＥＤＩＤ情報取得部２１５から入力された映像音声再生能力情報に基づき、ＥＤＩＤ２０６の記載内容を決定し、必要があれば変更する。ＥＤＩＤ設定部２０５は、ＥＤＩＤ情報取得部２１５からＰＡが入力された場合、ＡＶアンプ２０のＰＡと異なる値である場合には、入力されたＰＡをＡＶアンプ２０のＰＡとし、このＰＡに対応するポート番号を追加した値を、ＥＤＩＤ２０６のＰＡ部に記載する。
【０１０１】
ＡＶアンプ２０のＰＡが２．０．０．０である場合には、ＥＤＩＤ２０６における第一のＨＤＭＩ入力部に対応するＰＡ部の値は、２．１．０．０である。また、第２のＨＤＭＩ入力部に対するＰＡ部の値は２．２．０．０となる。
【０１０２】
第一のＨＤＭＩ入力部２０１に対応するＥＤＩＤ２０６の記載内容を変更した場合には、ＥＤＩＤ設定部２０５は、ＨＰＤ制御部２０３に対してＨＰＤネゲート（ＨＰＤ信号を有効にする）指示をし、ＨＰＤ制御部２０２に対してはアサート（ＨＰＤ信号を無効にする）指示を行う。
【０１０３】
ＨＰＤ制御部２０３は、ＥＤＩＤ設定部２０５からＨＰＤアサートまたはＨＰＤネゲートの指示を受け、それに応じてＨＰＤ信号を制御する。ＨＰＤアサート指示を受けた場合にはＨＰＤ信号２０１１をＨｉｇｈに引き上げ、ＨＰＤネゲート指示を受けた場合にはＨＰＤ信号２０１１をＬｏｗに引き下げる。
【０１０４】
ＨＰＤ制御部２０４は、ＨＰＤ制御部２０３と同様の動作を行い、ＥＤＩＤ設定部２０５からＨＰＤアサート指示を受ければＨＰＤ信号２０２１をＨｉｇｈに引き上げ、ＨＰＤネゲート指示を受けた場合にはＨＰＤ信号２０２１をＬｏｗに引き下げる。
【０１０５】
第２のＨＤＭＩ入力部２０２に対応するＥＤＩＤ２０６の記載内容を変更した場合には、ＥＤＩＤ設定部２０５は、ＨＰＤ制御部２０３に対してＨＰＤアサート指示をし、ＨＰＤ制御部２０２に対してはネゲート指示を行う。
【０１０６】
ＴＭＤＳ切替部２０９は、ＨＤＭＩ入力部２０１またはＨＤＭＩ入力部２０２のいずれか一方からＴＭＤＳ信号を入力し、ＴＭＤＳ入力部２１０に出力する。ＴＭＤＳ切替部２０９は、ＣＥＣ機器連携部２０８から出力される切替指示、または、図示しない入力切替部からの切替指示により、入力元となるＴＭＤＳ信号２０１３またはＴＭＤＳ信号２０２３の切り替えを行う。ＴＭＤＳ切替部２０９による入力元の切り替えの際には、ＨＰＤ制御部２０３またはＨＰＤ制御部２０４に、ＨＰＤネゲート、ＨＰＤアサートの指示を行い、選択されているＨＤＭＩ入力部のＨＰＤをＨｉｇｈに引き上げ、他方のＨＤＭＩ入力部のＨＰＤをＬｏｗに引き下げる。
【０１０７】
ＴＭＤＳ入力部２１０は、ＴＭＤＳ切替部２０９から入力したＴＭＤＳ信号を、ＴＭＤＳ出力部２１１及びＴＭＤＳデコード部２１２に出力する。
【０１０８】
ＴＭＤＳデコード部２１２は、ＴＭＤＳ伝送用データから音声ストリームをＴＭＤＳデコードして抽出し、音声出力部２１３に出力する。
【０１０９】
音声出力部２１３は、音声を出力するスピーカ等で構成する。
【０１１０】
図４は、本発明の実施の形態１におけるテレビ３０の構成を示す図である。テレビ３０は、映像・音声データ入力機器の一例であり、また、入力専用機器の一例でもある。
【０１１１】
テレビ３０は、ＨＤＭＩ入力部３０１と、ＨＤＭＩ入力部３０２と、ＥＤＩＤ設定部３０５と、ＥＤＩＤ３０６と、ＨＰＤ制御部３０３と、ＨＰＤ制御部３０４と、ＴＭＤＳ切替部３０９と、ＴＭＤＳ入力部３１０と、ＣＥＣ機器連携部３０８と、ＴＭＤＳデコード部３１１と、映像出力部３１２と、音声出力部３１３とを備える。
【０１１２】
テレビ３０のＨＤＭＩ入力部３０１、ＨＤＭＩ入力部３０２、ＨＰＤ制御部３０３、ＨＰＤ制御部３０４、ＥＤＩＤ設定部３０５、ＣＥＣ機器連携部３０８、ＴＭＤＳ切替部３０９は、それぞれ、ＡＶアンプ２０のＨＤＭＩ入力部２０１、ＨＤＭＩ入力部２０２、ＨＤＭＩ制御部２０３、ＨＤＭＩ制御部２０４、ＥＤＩＤ設定部２０５、ＣＥＣ機器連携部２０８、ＴＭＤＳ切替部２０９と同様の構成である。
【０１１３】
ＨＤＭＩ入力部３０１は、ビデオカメラ５０とＨＤＭＩ接続されている。ＨＤＭＩ入力部３０２は、ＡＶアンプ２０とＨＤＭＩ接続されている。ここでも、ＨＤＭＩ入力部３０１及びＨＤＭＩ入力部３０２は、ＨＤＭＩに限定されない。
【０１１４】
ＥＤＩＤ設定部３０５は、電源投入時、入力切替時など、ＥＤＩＤ３０６の記載内容を決定し、設定する。ＥＤＩＤ３０６の記載内容を設定した場合には、ＨＰＤ制御部３０３またはＨＰＤ制御部３０４に対して、ＨＰＤネゲートやＨＰＤアサートを指示する。
【０１１５】
ＥＤＩＤ３０６には、ＥＤＩＤ設定部３０５の入力に基づき、テレビ３０が再生できる映像音声再生能力情報や、ＨＤＭＩ入力部３０１またはＨＤＭＩ入力部３０２を通じて接続された機器に付与するＰＡなどが設定される。テレビ３０はＨＤＭＩ入力部のみを備えており、ルートとなる機器（ルート機器）であるため、テレビ３０自身のＰＡを０．０．０．０とする。また、各ＨＤＭＩ入力部ごとにＰＡを定めるため、ＨＤＭＩ入力部３０１に対応するＰＡは１．０．０．０となり、ＨＤＭＩ入力部３０２に対応するＰＡは２．０．０．０となる。
【０１１６】
ＴＭＤＳ切替部３０９により、ＨＤＭＩ入力部３０１またはＨＤＭＩ入力部３０２のいずれか一方からＴＭＤＳ信号を入力し、ＴＭＤＳ入力部３１０に出力する。
【０１１７】
ＴＭＤＳ入力部３１０は、ＴＭＤＳ信号を、ＴＭＤＳ切替部３０９から入力し、ＴＭＤＳデコード部３１１に出力する。
【０１１８】
ＴＭＤＳデコード部３１１は、ＴＭＤＳ伝送用データをＴＭＤＳデコードして映像ストリームと音声ストリームを抽出し、それぞれ映像出力部３１２、音声出力部３１３に出力する。
【０１１９】
映像出力部３１２は、ＴＭＤＳデコード部３１１より出力された映像ストリームに基づいて映像を出力する。例えば、モニタ等の表示デバイスが該当する。
【０１２０】
音声出力部３１３は、ＴＭＤＳデコード部３１１より出力された音声ストリームに基づいて音声を出力する。例えば、スピーカ等の音声出力デバイスが該当する。
【０１２１】
ビデオカメラ５０については、その構成はＤＶＤレコーダ１０と同様の構成である。
【０１２２】
＜動作＞
上記のように構成された、ＤＶＤレコーダ１０、ＡＶアンプ２０、ビデオカメラ５０、テレビ３０を用いて、本発明における機器アドレス情報割り当て処理について、以下、図５〜８を参照しつつ説明する。
【０１２３】
（実施の形態１における機器アドレス情報割り当て動作）
図５は、本発明の実施の形態１におけるＤＶＤレコーダ１０、ＡＶアンプ２０、テレビ３０、ビデオカメラ５０の動作の流れを示す図である。
【０１２４】
図６は、本発明の実施の形態１におけるＤＶＤレコーダ１０の動作の流れを示す図である。
【０１２５】
図７は、本発明の実施の形態１におけるＡＶアンプ２０の動作の流れを示す図である。
【０１２６】
図８は、本発明の実施の形態１におけるテレビ３０の動作の流れを示す図である。
【０１２７】
テレビ３０は、テレビ３０が備える入力部（図示せず）を介して、ユーザからの指示によって、本発明における機器アドレスの割り当てを開始する。
【０１２８】
テレビ３０は、すべてのＨＤＭＩ入力部に対して機器アドレスの割り当て動作を順次行う（ステップＳ３０１でＹＥＳ）。
【０１２９】
まず、テレビ３０において、ＥＤＩＤ設定部３０５は、ＥＤＩＤ３０６をＨＤＭＩ入力部３０１に対応するように、ＰＡ部を含めて書き換える。そして、ＨＤＭＩ入力部３０１に対応するＨＰＤ制御部３０３は、ＨＰＤ信号３０１１をＨｉｇｈに引き上げるか、または、既にＨＰＤ信号３０１１がＨｉｇｈの場合はパルスさせる（ステップＳ３０２、ステップＳ５０）。
【０１３０】
ＨＤＭＩ入力部３０１に接続されたビデオカメラ５０では、ＨＰＤ切替検出部（図示せず）がＨＰＤの切り替えを検出し、ＥＤＩＤ情報取得部（図示せず）に通知する。ＥＤＩＤ情報取得部（図示せず）は、ＥＤＩＤ情報取得コマンドをＤＤＣ信号（図示せず）を利用して、テレビ３０へ送信する（ステップＳ５１）。
【０１３１】
ＥＤＩＤ情報取得コマンドを受信したテレビ３０は、ＥＤＩＤ３０６に記載されたＰＡを含む情報をビデオカメラ５０に送信する（ステップＳ５２）。
【０１３２】
ＥＤＩＤ３０６に記載されたＥＤＩＤ情報を受信したビデオカメラ５０のＥＤＩＤ情報取得部（図示せず）は、取得したＥＤＩＤ情報のうち、テレビ３０が出力可能な映像・音声のフォーマットをデコード部（図示せず）に、また、ＰＡをＣＥＣ機器連携部（図示せず）にそれぞれ入力する。
【０１３３】
テレビ３０は、ビデオカメラ５０のＥＤＩＤ取得が終わるまで一定時間待機した後（ステップＳ３０３）、ビデオカメラ５０を宛先としてＣＥＣ機器連携部３０８から、機器アドレス割り当てを要求する制御コマンド（以下、「ＰＡリセットコマンド」と表す）を、ＣＥＣコマンドとして送信する（ステップＳ５３、ステップＳ３０５）。
【０１３４】
ビデオカメラ５０のＣＥＣ機器連携部はＰＡリセットコマンドを受信した場合には、ビデオカメラ５０はＨＤＭＩ入力部を備えていないため、何もしないまま処理完了したことをＣＥＣコマンドによってテレビ３０に返答する（ステップＳ５４）。
【０１３５】
テレビ３０は、ビデオカメラ５０から処理完了を受信すると、ＨＤＭＩ入力部３０１に対する機器アドレス情報割り当て処理を完了し、ステップＳ３０１に戻る（ステップＳ３０６）。
【０１３６】
テレビ３０は、機器アドレス情報割り当て処理が完了していないＨＤＭＩ入力部が残っている場合、残っている各ＨＤＭＩ入力部であるＨＤＭＩ入力部３０２に対して同様の処理を行う（ステップＳ３０１でＹＥＳ）。
【０１３７】
即ち、テレビ３０において、ＥＤＩＤ設定部３０５は、ＥＤＩＤ３０６をＨＤＭＩ入力部３０２に対応するようにＰＡ部を含めて書き換え、ＨＤＭＩ入力部３０２のＨＰＤ信号３０２１をＨｉｇｈに引き上げるか、またはパルスさせる（ステップＳ３０２、ステップＳ５５）。
【０１３８】
ＨＤＭＩ入力部３０２に接続されたＡＶアンプ２０では、ＨＰＤ切替検出部２１４がＨＰＤの切り替えを検出し、ＥＤＩＤ情報取得部２１５に通知する。ＥＤＩＤ情報取得部２１５は、ＥＤＩＤ情報取得コマンドをＤＤＣ信号２１６２、ＤＤＣ信号３０２２を通じて、テレビ３０へ送信する（ステップＳ５６）。
【０１３９】
ＥＤＩＤ情報取得コマンドを受信したテレビ３０は、ＥＤＩＤ３０６に記載されたＰＡを含む情報を送信する（ステップＳ５７）。
【０１４０】
ＥＤＩＤ３０６に記載されたＥＤＩＤ情報を受信したＡＶアンプ２０のＥＤＩＤ情報取得部２１５は、取得したＥＤＩＤ情報のうち、テレビ３０が出力可能な映像・音声のフォーマットはＥＤＩＤ設定部２０５に、また、ＰＡはＣＥＣ機器連携部２０８にそれぞれ入力する。
【０１４１】
ＥＤＩＤ設定部２０５は、取得したテレビ３０が出力可能な映像・音声のフォーマットをＥＤＩＤ２０６に記載する。また、取得したＰＡをＡＶアンプ２０のＰＡとして記憶し、ＴＭＤＳ切替部２０９が選択しているＨＤＭＩ入力部に対応するＰＡをＥＤＩＤ２０６に記載する。
【０１４２】
テレビ３０は、ＡＶアンプ２０のＥＤＩＤ取得が終わるまで一定時間待機した後（ステップＳ３０３）、ＡＶアンプ２０を宛先としてＣＥＣ機器連携部３０８からＰＡリセットコマンドを送信する（ステップＳ５８、ステップＳ３０５）。
【０１４３】
ＡＶアンプ２０のＣＥＣ機器連携部２０８が、ＰＡリセットコマンドを受信した場合、ＡＶアンプ２０はＰＡリセットコマンドの送信元をメモリに保存して、機器アドレス情報割り当て処理を開始する（ステップＳ２０１）。
【０１４４】
今、ＡＶアンプ２０は、いずれのＨＤＭＩポートもＰＡをリセットする動作を行っていないので、ＡＶアンプ２０のＨＤＭＩ入力部に対して、ＰＡをリセットする動作を行う（ステップＳ３０１）。
【０１４５】
ＡＶアンプ２０のＥＤＩＤ設定部２０５は、テレビ３０のＥＤＩＤ設定部３０５と同様の動作を行う。ＨＤＭＩ入力部２０１に対応するように、ＥＤＩＤ２０６をＰＡ部を含めて書き換え、ＨＰＤ制御部２０３はＨＰＤ信号２０１１をＨｉｇｈに引き上げるか、パルスさせる（ステップＳ２０３、ステップＳ５９）。
【０１４６】
ＨＤＭＩ入力部２０１に接続されたＤＶＤレコーダ１０では、ＨＰＤ切替検出部１０２がＨＰＤの切り替えを検出し、ＥＤＩＤ情報取得部１０３に通知する。ＥＤＩＤ情報取得部１０３は、ＥＤＩＤ情報取得コマンドをＤＤＣ信号１０１２を利用して、ＡＶアンプ２０へ送信する（ステップＳ５１０）。
【０１４７】
ＥＤＩＤ情報取得コマンドを受信したＡＶアンプ２０は、ＥＤＩＤ２０６に記載されたＰＡを含む情報を送信する（ステップＳ５１１）。
【０１４８】
ＥＤＩＤ２０６に記載された情報を受信したＤＶＤレコーダ１０のＥＤＩＤ情報取得部１０３は、取得した映像・音声の出力可能なフォーマットをデコード部１０５に、ＰＡをＣＥＣ機器連携部１０４にそれぞれ入力する。
【０１４９】
ＡＶアンプ２０は、ＤＶＤレコーダ１０のＥＤＩＤ取得が終わるまで一定時間待機した後（ステップＳ２０４）、ＤＶＤレコーダ１０を宛先としてＣＥＣ機器連携部２０８からＰＡリセットコマンドを送信する（ステップＳ５１２、ステップＳ２０５）。
【０１５０】
ＤＶＤレコーダ１０のＣＥＣ機器連携部１０４はＰＡリセットコマンドを受信した場合には、ＤＶＤレコーダ１０はＨＤＭＩ入力部を備えていないため、何もしないまま処理完了したことをＣＥＣコマンドによってＡＶアンプ２０に返答する（ステップＳ５１３）。
【０１５１】
ＡＶアンプ２０は、処理完了を受信すると、ＨＤＭＩ入力部２０１に対する機器アドレス情報割り当て処理を完了し、ステップＳ２０２に戻る（ステップＳ２０６）。
【０１５２】
ＡＶアンプ２０は、機器アドレス情報割り当て処理が完了していないＨＤＭＩ入力部に対して同様の処理を行う（ステップＳ２０２）。
【０１５３】
即ち、ＡＶアンプ２０において、ＥＤＩＤ設定部２０５は、ＥＤＩＤ２０６をＨＤＭＩ入力部２０１に対応するようにＰＡ部を含めて書き換え、ＨＤＭＩ入力部２０１のＨＰＤ２０１１をＨｉｇｈに引き上げるか、またはパルスさせる（ステップＳ２０３、ステップＳ５１４）。
【０１５４】
続いて、ＨＤＭＩ入力部２０２に対しても同様に機器アドレス情報割り当て処理を行うが、ＨＤＭＩ出力機器は接続されていないため、ＨＤＭＩ入力部２０２を通じたＥＤＩＤ情報の交換処理は行わず、ＨＤＭＩ入力部２０２に接続された機器を対象としてＰＡリセットコマンドを送信する（ステップＳ５１４、ステップＳ５１５、ステップＳ２０５）。ただし、ＨＤＭＩ入力部２０２には、機器が接続されていないので、応答は得られない。
【０１５５】
ＡＶアンプ２０は、一定時間応答が得られない場合は、機器が接続されていないものと見なしてＨＤＭＩ入力部２０２に対する機器アドレス情報割り当て処理を完了し、ステップＳ２０２に戻る（ステップＳ２０６）。
【０１５６】
ＡＶアンプ２０のＣＥＣ機器連携部２０８は、ＰＡリセットコマンドの送信元の機器であるテレビ３０に処理完了を示すＣＥＣコマンドを送信する（ステップＳ２０７、ステップＳ５１６）。
【０１５７】
テレビ３０は、ＡＶアンプ２０から処理完了を示すＣＥＣコマンドを受信すると、ＨＤＭＩ入力部３０２に対する機器アドレス情報割り当て処理を完了し、ステップＳ３０１に戻る（ステップＳ３０６）。
【０１５８】
テレビ３０のすべてのＨＤＭＩ入力部に対して機器アドレス情報割り当て処理を行ったため、機器アドレス情報割り当て処理を終了する（ステップＳ３０１）。
【０１５９】
なお、上述した機器アドレス情報の割り当てを開始する条件は、テレビ３０が備えるボタン（図示せず）を押されたときでもよいし、テレビ３０の電源がオンになったときでもよい。また、ＤＶＤレコーダ１０を含むＨＤＭＩで接続されたいずれかの映像音声出力機器から機器アドレス情報の割り当ての開始を要求するＣＥＣコマンドを送信し、テレビ３０が当該コマンドを受信したときでもよい。
【０１６０】
（実施の形態２）
本発明の実施の形態２において、接続される機器の構造が変化した場合について説明する。
【０１６１】
図９は、本発明の実施の形態２におけるＨＤＭＩ接続構成を示す接続図であり、ＤＶＤレコーダ１０、ＡＶアンプ２０、テレビ３０は、本発明の実施の形態１におけるＨＤＭＩ接続構成とは異なった構成となっている。
【０１６２】
図９のように接続された状態から、図１の状態に接続構成が変化した場合について説明する。本発明の実施の形態２においてＤＶＤレコーダ１０において、Ｏｎｅ  Ｔｏｕｃｈ  Ｐｌａｙ機能を利用する場合に、ＤＶＤレコーダ１０が正常に映像・音声を出力できなかった際の、ＤＶＤレコーダ１０から機器アドレス情報の割り当てを要求するＣＥＣコマンドをテレビ３０に送信する例について説明する。
【０１６３】
図１０は、本発明の実施の形態２におけるＤＶＤレコーダ１０、ＡＶアンプ２０、テレビ３０、ビデオカメラ５０の動作の流れを示す図である。
【０１６４】
図９において、ＤＶＤレコーダ１０はテレビ３０のＨＤＭＩ入力３０１に接続されているため、ＤＶＤレコーダ１０が正常にＥＤＩＤ情報を取得できた場合、ＤＶＤレコーダ１０のＰＡは１．０．０．０となる。
【０１６５】
ここで、ビデオカメラ５０を接続し図１に示す第１の接続形態に変更した場合、ＤＶＤレコーダ１０が正常にＥＤＩＤ情報を取得できるまで、ＤＶＤレコーダ１０自身のＰＡは１．０．０．０として記憶されている。即ち、ＡＶアンプ２０のセレクタがＨＤＭＩ入力部２０１に設定されていないか、そのほかの要因により、ＨＰＤ２０１１がＬｏｗになっている場合、ＤＶＤレコーダ１０はＥＤＩＤ情報を取得することができないため、ＤＶＤレコーダ１０自身のＰＡは、実際の接続トポロジを反映した値となっていない。
【０１６６】
このときユーザがＤＶＤレコーダ１０に再生開始を指示した場合（ステップＳ１０１）に、ＰＡをリセットする動作を行う流れを示す。
【０１６７】
ＤＶＤレコーダ１０のＣＥＣ機器連携部１０４は、ＣＥＣコマンド＜Ａｃｔｉｖｅ  Ｓｏｕｒｃｅ＞にＤＶＤレコーダ１０のＰＡ１．０．０．０をパラメータとして付与してブロードキャスト送信する（ステップＳ１０２、ステップＳ１０１）。
【０１６８】
ステップＳ１０２で送信された＜Ａｃｔｉｖｅ  Ｓｏｕｒｃｅ＞コマンドを受信したテレビ３０のＣＥＣ機器連携部３０８は、＜Ａｃｔｉｖｅ  Ｓｏｕｒｃｅ＞コマンドのパラメータに示されているアクティブソース機器から映像・音声を受信するように入力切替を行う。即ち、ＰＡ１．０．０．０の第一の値と対応するＨＤＭＩ入力部３０１からのＴＭＤＳ信号を受信するために、ＴＭＤＳ切替部３０９に入力元の切替指示を行う。また、ＣＥＣ機器連携部３０８は、ＨＰＤ制御部３０３にＨＰＤ信号３０１１をＨｉｇｈに引き上げるように指示する（ステップＳ１０３）。
【０１６９】
ＡＶアンプ２０は、＜Ａｃｔｉｖｅ  Ｓｏｕｒｃｅ＞コマンドのパラメータであるＰＡ１．０．０．０と、ＡＶアンプ２０のＰＡ２．０．０．０とを比較し、アクティブソース機器と、テレビ３０の間にＡＶアンプ２０が接続されていないと判断し、ＨＰＤ信号２０１１をＬｏｗに維持する（ステップＳ１０４）。
【０１７０】
ＤＶＤレコーダ１０は、＜Ａｃｔｉｖｅ  Ｓｏｕｒｃｅ＞コマンドを送信後、ＨＤＭＩ出力部１０１のＨＰＤ信号１０１１がＨｉｇｈにならないため、ＴＭＤＳ出力部１０６は、映像・音声データであるＴＭＤＳデータを出力することができない（ステップＳ１０５）。
【０１７１】
そこで、ＤＶＤレコーダ１０は、＜Ａｃｔｉｖｅ  Ｓｏｕｒｃｅ＞コマンドを送信後、一定時間待機する（ステップＳ１０２）。ＨＰＤ信号１０１１がＬｏｗからＨｉｇｈへ切り替わらなかったときには、ＤＶＤレコーダ１０のＣＥＣ機器連携部１０４は、テレビ３０に機器アドレス情報の割り当てを要求（ＰＡリセットコマンド発行を要求）するＣＥＣコマンドを送信する（ステップＳ１０６）。
【０１７２】
ステップＳ１０６で送信されたＣＥＣコマンドを受信したテレビ３０は、テレビ３０に接続されている機器に順にＰＡリセットを行うことで、接続されている機器全体に対してＰＡアドレスを再設定する前述の発明の実施の形態１で説明した機器アドレス情報割り当て処理を行う。
【０１７３】
以上の動作により、ＤＶＤレコーダ１０が正常にＰＡを取得することができなかった場合において、ユーザがＤＶＤレコーダ１０で再生を開始した場合に、ＰＡをリセットすることができ、ユーザは機器の接続形態を変更した後でも煩雑な操作をする必要がなくなる。
【０１７４】
（実施の形態３）
本発明の実施の形態３では、本発明の実施の形態１におけるテレビ３０とは動作が異なるテレビについて、図面を用いて説明する。
【０１７５】
図１１は、本発明の実施の形態３におけるＨＤＭＩ接続構成を示す接続図である。ＤＶＤレコーダ１０、ビデオカメラ５０、ＡＶアンプ６０、テレビ７０とが接続されている。図１とは、テレビ３０とテレビ７０とが異なっている。ＤＶＤレコーダ１０、ビデオカメラ５０は本発明の実施の形態１と、その構成が同じである。また、ＡＶアンプ６０、テレビ７０は、本発明の実施の形態１におけるＡＶアンプ２０、テレビ３０と、それぞれその構成は同じである。
【０１７６】
ＣＥＣ機器連携部６０８は、ＣＥＣ機器連携部２０８と同様の構成であり、ＣＥＣ機器連携部６０８は、ＣＥＣ信号２１６４、ＣＥＣ信号２０１４及びＣＥＣ信号２０２４を用い、制御コマンドとしてＣＥＣコマンドの送受信を行う。ＣＥＣ機器連携部７０８も、ＣＥＣ機器連携部３０８と同様の構成である。
【０１７７】
図１２は、本発明の実施の形態３におけるＡＶアンプ６０の構成を示す図である。本発明の映像・音声データ入出力機器の一例としてＡＶアンプ６０が該当する。
【０１７８】
図１３は、本発明の実施の形態３におけるテレビ７０の構成を示す図である。本発明の映像・音声データ入力機器の一例としてテレビ７０が該当する。
【０１７９】
なお、本発明の実施の形態１と同じ構成については、同じ符号を用いている。
【０１８０】
（実施の形態３における機器アドレス情報の割り当て動作）
図１４は、本発明の実施の形態３におけるテレビ７０の動作の流れを示す図である。
【０１８１】
図１５は、本発明の実施の形態３におけるＤＶＤレコーダ１０、ＡＶアンプ６０、テレビ７０、ビデオカメラ５０の動作の流れを示す図である。
【０１８２】
テレビ７０は、テレビ７０が備える入力部（図示せず）を介して、ユーザからの指示によって、本発明における機器アドレスの割り当てを開始する。
【０１８３】
テレビ７０は、すべてのＨＤＭＩ入力部に対して機器アドレスの割り当て動作を順次行う（ステップＳ７０１でＹＥＳ）。
【０１８４】
まず、テレビ７０において、ＥＤＩＤ設定部３０５は、ＥＤＩＤ３０６をＨＤＭＩ入力部３０１に対応するように、ＰＡ部を含めて書き換える。そして、ＨＤＭＩ入力部３０１に対応するＨＰＤ制御部３０３は、ＨＰＤ信号３０１１をＨｉｇｈに引き上げるか、または、パルスさせる（ステップＳ７０２、ステップＳ１９１）。
【０１８５】
ＨＤＭＩ入力部３０１に接続されたビデオカメラ５０は、ＥＤＩＤ情報取得コマンドをＤＤＣ信号３０１２を利用して、テレビ７０へ送信し（ステップＳ１９２）、テレビ７０は、ＥＤＩＤ３０６に記載されたＰＡを含む情報を送信する（ステップＳ１９３）。
【０１８６】
今、テレビ７０がリセット処理を行うので、ＰＡ［Ｘ．Ｙ．Ｚ．Ｗ］のうち、Ｘの部分はリセット処理を行う端子のアドレスを表す部分となる。所定の値Ｎ１、Ｎ２、Ｎ３について、１≦Ｙ≦ Ｎ１、０≦Ｚ≦Ｎ２、０≦Ｗ≦Ｎ３として取りうるＰＡをすべて網羅するように＜Ｓｅｔ Ｓｔｒｅａｍ Ｐａｔｈ＞コマンドを、ＰＡとともに送信する。なお、Ｎ１は、テレビ７０にプログラムされた所定の値を用いてもよい。または、テレビ７０からＡＶアンプ６０に対してＣＥＣコマンドによって問い合わせし、ＡＶアンプ６０からの応答として送信されるＣＥＣコマンドのパラメータの値をＮ１として用いてもよい。
【０１８７】
テレビ７０は、ビデオカメラ５０のＥＤＩＤ取得が終わるまで一定時間待機した後（ステップＳ７０３）、ビデオカメラ５０に接続される可能性がある機器に、さらに機器アドレス情報の割り当てを行う（ステップＳ７０４でＹＥＳ）。つまり、ビデオカメラ５０に接続される機器が取りうるＰＡをパラメータとして＜Ｓｅｔ  Ｓｔｒｅａｍ  Ｐａｔｈ＞コマンドを送信し（ステップＳ７０５）、一定時間待機した後（ステップＳ７０６）、他のＰＡについても同様に＜Ｓｅｔ  Ｓｔｒｅａｍ  Ｐａｔｈ＞コマンドを送信する（ステップＳ７０４でＹＥＳ、ステップＳ７０５）。ただし、ビデオカメラ５０には接続される機器がないため、ビデオカメラ５０は、何も動作しない。
【０１８８】
ビデオカメラ５０が取りうるＰＡについてすべて処理が終わったらテレビ７０は、テレビ７０に備えている他のＨＤＭＩ入力部について機器アドレス情報の割り当てを行う（ステップＳ７０４でＮＯ）。
【０１８９】
テレビ７０は、機器アドレス情報割り当て処理が完了していないＨＤＭＩ入力部が残っている場合、本実施の形態３では、残っているＨＤＭＩ入力部３０２に対して同様の処理を行う（ステップＳ７０１でＹＥＳ）。
【０１９０】
即ち、テレビ７０において、ＥＤＩＤ設定部３０５は、ＥＤＩＤ３０６をＨＤＭＩ入力部３０２に対応するようにＰＡ部を含めて書き換え、ＨＤＭＩ入力部３０２のＨＰＤ信号３０２１をＨｉｇｈに引き上げるか、またはパルスさせる（ステップＳ７０２、ステップＳ１９７）。
【０１９１】
ＨＤＭＩ入力部３０２に接続されたＡＶアンプ６０では、ＨＰＤ切替検出部２１４がＨＰＤの切り替えを検出し、ＥＤＩＤ情報取得部２１５に通知する。ＥＤＩＤ情報取得部２１５は、ＥＤＩＤ情報取得コマンドをＤＤＣ信号２１６２、ＤＤＣ信号３０２２を通じて、テレビ７０へ送信する（ステップＳ１９８）。
【０１９２】
ＥＤＩＤ情報取得コマンドを受信したテレビ７０は、ＥＤＩＤ３０６に記載されたＰＡを含むＥＤＩＤデータを送信する（ステップＳ１９９）。
【０１９３】
ＥＤＩＤデータを受信したＡＶアンプ６０のＥＤＩＤ情報取得部２１５は、テレビ７０が出力可能な映像及び音声のフォーマットをＥＤＩＤ設定部２０５に入力する。また、取得したＰＡはＣＥＣ機器連携部６０８にそれぞれ入力する。また、ＥＤＩＤ２０６に、ＥＤＩＤデータにＡＶアンプ６０で再生可能なフォーマットを加えて、映像・音声の受信可能なフォーマットをセットする。
【０１９４】
テレビ７０は、一定時間待った後で（ステップＳ７０３）、ＡＶアンプ６０が取りうるＰＡについて、本実施の形態３における機器アドレス情報割り当て処理を開始する（ステップＳ７０４でＹＥＳ）。即ち、テレビ７０は、ＡＶアンプ６０が取りうるＰＡをパラメータとして＜Ｓｅｔ  Ｓｔｒｅａｍ  Ｐａｔｈ＞コマンドを送信する（ステップＳ７０５、ステップＳ１９１０）。
【０１９５】
ＡＶアンプ６０のＨＤＭＩ入力部に接続された機器が取りうるＰＡは、次のように決定する。ＡＶアンプ６０のＨＤＭＩ出力部が接続された、テレビ７０のＨＤＭＩ入力部に対応する値と、ＰＡリセットを行うＡＶアンプ６０のＨＤＭＩ入力部の端子番号を加えた値とする。ＡＶアンプ６０のＨＤＭＩ入力部の端子番号の最大値は、テレビ７０に所定の値をプログラムしておいてもよいし、テレビ７０からＡＶアンプ６０に対してＣＥＣコマンドによって端子数を問い合わせし、ＡＶアンプ６０からの応答として送信されるＣＥＣコマンドのパラメータの値を用いてもよい。
【０１９６】
ＡＶアンプ６０のＣＥＣ機器連携部６０８は、＜Ｓｅｔ  Ｓｔｒｅａｍ  Ｐａｔｈ＞コマンドを受信した場合は、ＡＶアンプ６０のＰＡと、＜Ｓｅｔ  Ｓｔｒｅａｍ  Ｐａｔｈ＞コマンドのパラメータとして指定されたＰＡとを比較する。指定されたＰＡの機器と、テレビ７０の間にＡＶアンプ６０が接続されていると判断される場合には、指定されたＰＡに対応する機器からの映像・音声データを受信できるように入力元の切り替えを行う。例えば、ＡＶアンプ６０のＰＡが２．０．０．０であるので、ステップＳ１９１０でＰＡ２．１．０．０が指定され、ＡＶアンプ６０に通知されると、ＡＶアンプ６０において、ＰＡ２．１．０．０に対応するＨＤＭＩ入力部２０１に対して、ＥＤＩＤ設定部２０５はＰＡ部を含めてＥＤＩＤ２０６を書き換え、ＨＰＤ制御部２０３に対してＨＰＤアサートの指示を行い、ＨＰＤ２０１１をＨｉｇｈに引き上げるか、または、パルスさせる（ステップＳ１９１１）。
【０１９７】
ＤＶＤレコーダ１０では、ＨＰＤの切り替えを検出し、ＤＤＣ信号１０１２を利用して、ＡＶアンプ６０へＥＤＩＤ情報取得コマンドを送信する（ステップＳ１９１２）。
【０１９８】
ＥＤＩＤ情報取得コマンドを受信したＡＶアンプ６０は、ＥＤＩＤ２０６に記載されたＰＡを含む情報を送信し（ステップＳ１９１３）、 ＤＶＤレコーダ１０のＥＤＩＤ情報取得部１０３はＥＤＩＤ２０６に記載された情報を受信する。
【０１９９】
テレビ７０は、ステップＳ７０５の後、一定時間待機した後（ステップＳ７０６）、他のＰＡについても同様に＜Ｓｅｔ  Ｓｔｒｅａｍ  Ｐａｔｈ＞コマンドを送信する（ステップＳ７０４でＹＥＳ、ステップＳ７０５）。Ｓ７０２の切替先の機器が取りうるＰＡについてすべて処理が終わったらテレビ７０は、テレビ７０に備えている他のＨＤＭＩ入力部について機器アドレス情報の割り当てを行う（ステップＳ７０４でＮＯ）。
【０２００】
以上のようにして、テレビ７０からすべての機器へ＜Ｓｅｔ  Ｓｔｒｅａｍ  Ｐａｔｈ＞コマンドを送信し、ＨＤＭＩで接続されたすべての機器の機器アドレス情報の割り当てを行うことができる。
【０２０１】
なお、ステップＳ７０５で＜Ｓｅｔ  Ｓｔｒｅａｍ  Ｐａｔｈ＞コマンドの送信は、ステップＳ７０２の切替先の機器がＡＶアンプ等のＨＤＭＩ入力切替機能を備える機器の場合のみとしてもよい。
【産業上の利用可能性】
【０２０２】
本発明の機器アドレス割り当て方法、入力機器、及び入力専用機器は、機器の接続トポロジに対応して、機器のアドレスを決定するＨＤＭＩ等で接続された機器において、機器のアドレスを再設定する方法に利用できる。
【図面の簡単な説明】
【０２０３】
【図１】本発明の実施の形態１におけるＨＤＭＩ接続構成を示す接続図
【図２】本発明の実施の形態１におけるＤＶＤレコーダ１０の構成を示す図
【図３】本発明の実施の形態１におけるＡＶアンプ２０の構成を示す図
【図４】本発明の実施の形態１におけるテレビ３０の構成を示す図
【図５】本発明の実施の形態１におけるＤＶＤレコーダ１０、ＡＶアンプ２０、テレビ３０、ビデオカメラ５０の動作の流れを示す図
【図６】本発明の実施の形態１におけるＤＶＤレコーダ１０の動作の流れを示す図
【図７】本発明の実施の形態１におけるＡＶアンプ２０の動作の流れを示す図
【図８】本発明の実施の形態１におけるテレビ３０の動作の流れを示す図
【図９】本発明の実施の形態２におけるＨＤＭＩ接続構成を示す接続図
【図１０】本発明の実施の形態２におけるＤＶＤレコーダ１０、ＡＶアンプ２０、テレビ３０、ビデオカメラ５０の動作の流れを示す図
【図１１】本発明の実施の形態３におけるＨＤＭＩ接続構成を示す接続図
【図１２】本発明の実施の形態３におけるＡＶアンプ６０の構成を示す図
【図１３】本発明の実施の形態３におけるテレビ７０の構成を示す図
【図１４】本発明の実施の形態３におけるテレビ７０の動作の流れを示す図
【図１５】本発明の実施の形態３におけるＤＶＤレコーダ１０、ＡＶアンプ６０、テレビ７０、ビデオカメラ５０の動作の流れを示す図
【図１６】従来のＡＶ機器のＨＤＭＩ接続構成を示す図
【図１７】従来のＤＶＤレコーダ１１の構成を示す図
【図１８】従来のＡＶアンプ２１の構成を示す図
【図１９】従来のテレビ３１の構成を示す図
【図２０】従来のＤＶＤレコーダ１１、ＡＶアンプ２１、テレビ３１の流れを示す図
【符号の説明】
【０２０４】
１０  ＤＶＤレコーダ
２０、６０  ＡＶアンプ
３０、７０  テレビ
１０１、２１６  ＨＤＭＩ出力部
２０１、２０２、３０１、３０２  ＨＤＭＩ入力部
１０２、２１４  ＨＰＤ切替検出部
１０３、２１５  ＥＤＩＤ情報取得部
１０４、２０８、３０８、６０８、７０８  ＣＥＣ機器連携部
１０５  デコード部
１０６、２１１  ＴＭＤＳ出力部
２０３、２０４、３０３、３０４  ＨＰＤ制御部
２０５、３０５  ＥＤＩＤ設定部
２０６、３０６  ＥＤＩＤ
２０９、３０９  ＴＭＤＳ切替部
２１０、３１０  ＴＭＤＳ入力部
２１２、３１１  ＴＭＤＳデコード部
２１３、３１３  音声出力部
３１２  映像出力部
【図２】
2009284374.tif 000003
【図６】
2009284374.tif 000004
【図７】
2009284374.tif 000005
【図８】
2009284374.tif 000006
【図１４】
2009284374.tif 000007
【図１７】
2009284374.tif 000008
【図１】
2009284374.tif 000009
【図３】
2009284374.tif 000010
【図４】
2009284374.tif 000011
【図５】
2009284374.tif 000012
【図９】
2009284374.tif 000013
【図１０】
2009284374.tif 000014
【図１１】
2009284374.tif 000015
【図１２】
2009284374.tif 000016
【図１３】
2009284374.tif 000017
【図１５】
2009284374.tif 000018
【図１６】
2009284374.tif 000019
【図１８】
2009284374.tif 000020
【図１９】
2009284374.tif 000021
【図２０】
2009284374.tif 000022